(57)【要約】  スイッチモジュール（１）は、スイッチ回路（ＳＷ）と、カプラ（ＣＰＬ）であるチップ型素子（２１Ｂ）と、カプラ（ＣＰＬ）とともに共通端側回路（４）を構成するチップ型素子（２１Ｃ）と、切替端側回路（７Ａ〜７Ｈ）いずれかを構成するチップ型素子（２１Ａ）と、多層基板（１１）と、を備えている。多層基板（１１）は、内層グランド電極（１３Ａ，１３Ｂ）を備えている。内層グランド電極（１３Ａ）は、内層グランド電極（１３Ａ）よりもチップ型素子（２１Ｂ）に近接していて、多層基板（１１）の積層方向から平面視してチップ型素子（２１Ｂ）に重ならないように開口部（１７）が設けられている。
2013168689.tif 000002
【特許請求の範囲】
【請求項１】
複数の誘電体層と複数の電極層とを積層して構成されている多層基板を備えるスイッチモジュールであって、
単一の共通端と複数の切替端とを有し、前記共通端に接続する切替端を切り替え可能に構成されている、スイッチ回路と、
前記共通端に接続されていて、第１の回路素子を備えている、共通端側回路と、
それぞれ、前記スイッチ回路の各切替端に接続されている、切替端側回路と、
前記多層基板の積層方向から平面視して前記切替端側回路に重なるように、前記複数の電極層のいずれかに形成されている内層グランド電極と、を備え、
前記第１の回路素子に最も近接する内層グランド電極は、前記多層基板の積層方向から平面視して前記第１の回路素子に重ならないように配置されている、スイッチモジュール。
【請求項２】
前記第１の回路素子に最も近接する内層グランド電極は、前記多層基板の積層方向から平面視して前記第１の回路素子に重なる領域に切り欠き又は開口が形成されている、請求項１に記載のスイッチモジュール。
【請求項３】
前記第１の回路素子に最も近接する内層グランド電極は、前記多層基板の積層方向から平面視して前記第１の回路素子に重なる領域の周囲に、前記内層グランド電極と接続されるビア電極が配置されている、請求項２に記載のスイッチモジュール。
【請求項４】
前記第１の回路素子は、主線路と副線路とで構成されるカプラである、請求項１〜３のいずれかに記載のスイッチモジュール。
【請求項５】
前記主線路に接続されている配線電極と、前記副線路に接続されている配線電極との間には前記内層グランド電極に接続されているビア電極が配置されている、請求項４に記載のスイッチモジュール。
【請求項６】
前記主線路に接続されている配線電極と、前記副線路に接続されている配線電極とは、互いに異なる電極層に配置されている、請求項４または５に記載のスイッチモジュール。
【請求項７】
前記主線路に接続されている配線電極が配置される電極層と、前記副線路に接続されている配線電極が配置される電極層との間に、前記内層グランド電極が配置されている、請求項６に記載のスイッチモジュール。
【請求項８】
前記第１の回路素子に接続される第２の回路素子を備える、請求項１〜７のいずれかに記載のスイッチモジュール。
【請求項９】
前記第２の回路素子は整合回路である、請求項８に記載のスイッチモジュール。
【発明の詳細な説明】
【技術分野】
【０００１】
この発明は、複数の通信信号を共通アンテナで送受信するスイッチモジュールに関する。
【背景技術】
【０００２】
近年、携帯電話等のマルチバンド化により、通信装置では周波数帯域が異なる複数の通信信号を共通のアンテナで送受信するようになってきている（例えば、特許文献１参照。）。そのため通信装置では、複数の通信回路を切り替えて共通アンテナに接続するスイッチモジュールの利用が進んでいる。【０００３】
図６Ａは、スイッチモジュールの一般的な回路構成例を示すブロック図である。【０００４】
図６Ａに示すフロントエンド回路ＦＥＣは、スイッチ回路ＳＷ、共通端側回路１０４、および、切替端側回路１０７Ａ〜１０７Ｈ、を備えている。スイッチ回路ＳＷは、共通ポートＰＩＣ０１に接続する切替ポートＰＩＣ１１〜ＰＩＣ１８を切り替え可能に構成されている。共通端側回路１０４は、アンテナとスイッチ回路ＳＷの共通ポートＰＩＣ０１との間に設けられていて、ここでは静電破壊保護回路と整合回路とを兼ねた構成としている。なお、共通端側回路１０４は、その他、カプラ、フィルタ回路、単体の整合回路、単体の静電破壊保護回路、それらを組み合わせた複合回路などとして構成されることもある。切替端側回路１０７Ａ〜１０７Ｈは、各通信システムの通信回路と、スイッチ回路ＳＷの切替ポートＰＩＣ１１〜ＰＩＣ１８との間に設けられている。ここでは、切替端側回路１０７Ａは低域側送信フィルタとし、切替端側回路１０７Ｂは高域側送信フィルタとし、切替端側回路１０７Ｃ〜１０７Ｈは伝送線路としている。なお、切替端側回路１０７Ａ〜１０７Ｈは、その他、送信フィルタ、受信フィルタ、デュプレクサ、インダクタ、キャパシタ、伝送線路などとして構成されることもある。【０００５】
このようなフロントエンド回路ＦＥＣは、通常、多層基板を用いたスイッチモジュールとして構成される。そして、スイッチ回路ＳＷの回路素子や、共通端側回路１０４の回路素子、切替端側回路１０７Ａ〜１０７Ｈの回路素子などは、多層基板に表面実装された実装部品や、多層基板の表面、底面および内部に形成された電極パターン等によって形成される。【０００６】
図６Ｂは、スイッチモジュールの従来構成例を示す模式断面図である。【０００７】
図６Ｂに示すスイッチモジュール１０１は、フロントエンド回路ＦＥＣを構成するものであり、多層基板１１１とチップ型素子１２１Ａ〜１２１Ｃとを備えている。多層基板１１１は、接続配線１１２と、内層グランド電極１１３と、素子搭載電極１１４と、外部接続電極１１５と、を備えている。外部接続電極１１５は、スイッチモジュール１０１を外部基板に実装する電極である。素子搭載電極１１４は、チップ型素子１２１Ａ〜１２１Ｃを搭載する電極であり、接続配線１１２を介して内層グランド電極１１３や外部接続電極１１５に接続されている。内層グランド電極１１３は、外部接続電極１１５を介してグランド電位に接続されている。なお、チップ型素子１２１Ａは、スイッチ回路ＳＷを構成する回路素子である。チップ型素子１２１Ｂは、共通端側回路１０４を構成する回路素子である。チップ型素子１２１Ｃは、切替端側回路１０７Ａ〜１０７Ｈを構成する回路素子である。
【先行技術文献】
【特許文献】
【０００８】
【特許文献１】特開２００８−１０９９５号公報
【発明の概要】
【発明が解決しようとする課題】
【０００９】
従来構成のスイッチモジュール１０１では、次に示すような問題があった。【００１０】
第１に、共通端側回路を構成するチップ型素子１２１Ｂや、チップ型素子１２１Ｂに接続されている接続配線１１２が、内層グランド電極１１３に接続または近接して配置されることにより、共通端側回路１０４の内部で、内層グランド電極１１３を介した不要な結合が生じる。【００１１】
第２に、切替端側回路を構成するチップ型素子１２１Ｃや、チップ型素子１２１Ｃに接続されている接続配線１１２が、内層グランド電極１１３に接続または近接して配置されることにより、その内層グランド電極１１３に接続または近接して配置されるチップ型素子１２１Ｂとチップ型素子１２１Ｃとの間で、内層グランド電極１１３を介した不要な結合が生じる。【００１２】
これらの結合は、各チップ型素子間におけるアイソレーション特性を低下させるため、フロントエンド回路ＦＥＣの特性が劣化する要因となっていた。【００１３】
そこで、本発明の目的は、内層グランド電極を介した結合の発生を抑制して、良好な特性を実現できるスイッチモジュールを実現することにある。
【課題を解決するための手段】
【００１４】
この発明は、多層基板を備えて構成されているスイッチモジュールに関し、スイッチ回路と、共通端側回路と、複数の切替端側回路と、内層グランド電極と、を備えている。
多層基板は、複数の誘電体層と複数の電極層とを積層して構成されている。スイッチ回路は、共通端と複数の切替端とを有し、共通端に接続する切替端を切り替え可能に構成されている。共通端側回路は、スイッチ回路の共通端に接続されていて、第１の回路素子を備えている。複数の切替端側回路は、それぞれ、スイッチ回路の各切替端に接続されている。内層グランド電極は、多層基板の積層方向から平面視して複数の切替端側回路に重なるように、複数の電極層のいずれかに形成されている。そして、第１の回路素子に最も近接する内層グランド電極は、多層基板の積層方向から平面視して第１の回路素子に重ならないように配置されている。【００１５】
このスイッチモジュールでは、第１の回路素子に最も近接する内層グランド電極は、多層基板の積層方向から平面視して第１の回路素子に重なる領域に切り欠き又は開口が形成されていると好適である。また、第１の回路素子に最も近接する内層グランド電極は、多層基板の積層方向から平面視して第１の回路素子に重なる領域の周囲に、内層グランド電極と接続したビア電極が配置されていると好適である。【００１６】
これらの構成では、第１の回路素子が、第１の回路素子に最も近接する内層グランド電極を介して、他の共通素子に結合することを抑制できる。これにより、共通端側回路の内部で、不要な結合が発生することや、共通端側回路と切替端側回路との間で、不要な結合が発生することを抑制できる。したがって、スイッチモジュールの特性劣化を防止することができる。【００１７】
また、この発明のスイッチモジュールにおいて、第１の回路素子は、主線路と副線路とで構成されるカプラであってもよい。【００１８】
この高周波モジュールでは、主線路に接続されている配線電極と、副線路に接続されている配線電極との間に内層グランド電極に接続されているビア電極が配置されていると好適である。また、主線路に接続されている配線電極と、副線路に接続されている配線電極とが、異なる電極層で引き回されると好適である。さらには、主線路に接続されている配線電極が引き回される電極層と、副線路に接続されている配線電極が引き回される電極層との間に、内層グランド電極が配置されていると好適である。【００１９】
これらの構成では、第１の回路素子であるカプラに最も近接する内層グランド電極を介して、カプラの主線路と副線路とが結合することを抑制でき、スイッチモジュールの特性劣化を防止することができる。【００２０】
また、この発明のスイッチモジュールにおいて、第１の回路素子に接続される第２の回路素子を備えていてもよい。【００２１】
また、この発明のスイッチモジュールにおいて、第２の回路素子は整合回路であってもよい。
【発明の効果】
【００２２】
この発明によれば、第１の回路素子に最も近接する内層グランド電極は、多層基板の積層方向から平面視して第１の回路素子と重ならないため、共通端子側回路が内層グランド電極を介して切替端側回路に結合することを抑制できる。また、共通端側回路の内部で不要な結合が発生することを抑制できる。これにより、スイッチモジュールの特性劣化を防ぐことができる。
【図面の簡単な説明】
【００２３】
【図１Ａ】第１の実施形態に係るスイッチモジュールの回路構成を示すブロック図である。
【図１Ｂ】第１の実施形態に係るスイッチモジュールの断面構造を示す模式図である。
【図１Ｃ】第１の実施形態に係るスイッチモジュールの実施例に係る積み図である。
【図１Ｄ】第１の実施形態に係るスイッチモジュールの実施例に係る特性図である。
【図２Ａ】第２の実施形態に係るスイッチモジュールの回路構成を示すブロック図である。
【図２Ｂ】第２の実施形態に係るスイッチモジュールの実施例に係る積み図である。
【図３】第３の実施形態に係るスイッチモジュールの実施例に係る積み図である。
【図４Ａ】第４の実施形態に係るスイッチモジュールの断面構造を示す模式図である。
【図４Ｂ】第４の実施形態に係るスイッチモジュールの実施例に係る積み図である。
【図５】第５の実施形態に係るスイッチモジュールの実施例に係る積み図である。
【図６Ａ】スイッチモジュールの一般的な回路構成例を示すブロック図である。
【図６Ｂ】スイッチモジュールの従来の断面構成例を示す模式図である。
【発明を実施するための形態】
【００２４】
≪第１の実施形態≫
以下、本発明の第１の実施形態に係るスイッチモジュールについて、図１Ａ〜図１Ｄを参照して説明する。
【００２５】
図１Ａは、本実施形態に係るスイッチモジュールの回路構成を示すブロック図である。図１Ａに示すフロントエンド回路ＦＥＣ１は、スイッチ回路ＳＷ、共通端側回路４、および、切替端側回路７Ａ〜７Ｈ、を備えている。
【００２６】
スイッチ回路ＳＷは、電源ポートＰＩＣＶｄｄ、制御ポートＰＩＣＶｃ１〜ＰＩＣＶｃ４、共通ポートＰＩＣ０１、および、切替ポートＰＩＣ１１〜ＰＩＣ１８を有している。電源ポートＰＩＣＶｄｄは、スイッチ回路ＳＷの駆動電圧が印加されるポートである。制御ポートＰＩＣＶｃ１〜ＰＩＣＶｃ４は、それぞれ制御電圧が印加されるポートである。共通ポートＰＩＣ０１は、本実施形態における共通端に相当するポートである。切替ポートＰＩＣ１１〜ＰＩＣ１８は、本実施形態における切替端に相当するポートである。
【００２７】
このスイッチ回路ＳＷは、電源ポートＰＩＣＶｄｄに駆動電圧（Ｖｄｄ）が印加されることで駆動する。そして、スイッチ回路ＳＷは、駆動中に制御ポートＰＩＣＶｃ１，ＰＩＣＶｃ２，ＰＩＣＶｃ３，ＰＩＣＶｃ４に制御電圧（Ｖｃ１，Ｖｃ２，Ｖｃ３，ＶＣ４）が印加されることにより、制御電圧（Ｖｃ１，Ｖｃ２，Ｖｃ３，ＶＣ４）の組み合わせに応じて、切替ポートＰＩＣ１１〜ＰＩＣ１８の何れか一つを共通ポートＰＩＣ０１に接続する。
【００２８】
また、フロントエンド回路ＦＥＣ１は、外部接続ポートＰＭＡＮＴ，ＰＭＣＰＬ，ＰＭＶｄｄ，ＰＭＶｃ１〜ＰＭＶｃ４，ＰＭ１１〜ＰＭ１８を有している。外部接続ポートＰＭＡＮＴは、アンテナ信号が流れるポートである。外部接続ポートＰＭＣＰＬは、カップリング信号が流れるポートである。外部接続ポートＰＭＶｄｄは、駆動電圧（Ｖｄｄ）が印加されるポートである。外部接続ポートＰＭＶｃ１〜ＰＭＶｃ４は、制御信号（Ｖｃ１〜Ｖｃ４）が印加されるポートである。外部接続ポートＰＭ１１〜ＰＭ１８は、送信系回路、受信系回路、もしくは送受信回路に接続されるポートである。
【００２９】
共通端側回路４は、外部接続ポートＰＭＡＮＴおよび外部接続ポートＰＭＣＰＬと共通ポートＰＩＣ０１との間に設けられている。この共通端側回路４は、整合回路２およびカプラＣＰＬを備えている。整合回路２は、外部接続ポートＰＭＡＮＴ側と共通ポートＰＩＣ０１側とのインピーダンスを整合させる回路である。カプラＣＰＬは、主線路３Ａと、主線路３Ａに結合する副線路３Ｂとを備えている。主線路３Ａの両端は、整合回路２と外部接続ポートＰＭＡＮＴに接続されている。副線路３Ｂは、一端が終端抵抗を介して接地され、他端がアッテネータを介して外部接続ポートＰＭＣＰＬに接続されている。
【００３０】
切替端側回路７Ａは、外部接続ポートＰＭ１１と切替ポートＰＩＣ１１とに接続された送信フィルタとして構成されている。この切替端側回路７Ａは、ＧＳＭ（登録商標）８５０の送信信号または、ＧＳＭ（登録商標）９００の送信信号を通過させ、それらの送信信号の高調波を減衰させる。
【００３１】
切替端側回路７Ｂは、外部接続ポートＰＭ１２と切替ポートＰＩＣ１２とに接続された送信フィルタとして構成されている。この切替端側回路７Ｂは、ＧＳＭ（登録商標）１８００の送信信号または、ＧＳＭ（登録商標）１９００の送信信号を通過させ、それらの送信信号の高調波を減衰させる。
【００３２】
切替端側回路７Ｃは、外部接続ポートＰＭ１３と切替ポートＰＩＣ１３とに接続された伝送線路として構成されている。この切替端側回路７Ｃは、予備的に設けられているものであり、外部接続ポートＰＭ１３に対して任意の回路を接続して利用することができる。
【００３３】
切替端側回路７Ｄは、外部接続ポートＰＭ１４と切替ポートＰＩＣ１４とに接続された伝送線路として構成されている。この切替端側回路７Ｄは、予備的に設けられているものであり、外部接続ポートＰＭ１４に対して任意の回路を接続して利用することができる。
【００３４】
切替端側回路７Ｅは、外部接続ポートＰＭ１５と切替ポートＰＩＣ１５に接続されたデュプレクサとして構成されている。この切替端側回路７Ｅは、ＣＤＭＡ通信システムの所定のバンドクラス（Ｂａｎｄ５）の送信信号と受信信号とを分離して通過させる。
【００３５】
切替端側回路７Ｆは、外部接続ポートＰＭ１６と切替ポートＰＩＣ１６に接続されたデュプレクサとして構成されている。この切替端側回路７Ｆは、ＣＤＭＡ通信システムの所定のバンドクラス（Ｂａｎｄ８）の送信信号と受信信号とを分離して通過させる。
【００３６】
切替端側回路７Ｇは、外部接続ポートＰＭ１７と切替ポートＰＩＣ１７に接続されたデュプレクサとして構成されている。この切替端側回路７Ｇは、ＣＤＭＡ通信システムの所定のバンドクラス（Ｂａｎｄ２）の送信信号と受信信号とを分離して通過させる。
【００３７】
切替端側回路７Ｈは、外部接続ポートＰＭ１８と切替ポートＰＩＣ１８に接続されたデュプレクサとして構成されている。この切替端側回路７Ｈは、ＣＤＭＡ通信システムの所定のバンドクラス（Ｂａｎｄ１）の送信信号と受信信号とを分離して通過させる。
【００３８】
このフロントエンド回路ＦＥＣ１は、多層基板を用いたスイッチモジュール１（符号不図示）として構成される。そして、スイッチ回路ＳＷの回路素子や、共通端側回路４の回路素子、切替端側回路７Ａ〜７Ｈを構成する回路素子などは、多層基板に表面実装された実装部品や、多層基板の表面、底面および内部に形成された電極パターン等によって形成される。
【００３９】
図１Ｂは、第１の実施形態に係るスイッチモジュールの断面構成を示す模式図である。図１Ｂに示すスイッチモジュール１は、多層基板１１とチップ型素子２１Ａ〜２１Ｃとを備えている。
【００４０】
多層基板１１は、複数のセラミック層と複数の電極層とを積層してなる低温焼結セラミック積層基板（ＬＴＣＣ）で構成されていて、接続配線１２Ａ〜１２Ｅと、内層グランド電極１３Ａ，１３Ｂと、素子搭載電極１４Ａ〜１４Ｃと、外部接続電極１５Ａ，１５Ｂと、グランド接続用ビア電極１６Ａ，１６Ｂと、を備えている。
【００４１】
外部接続電極１５Ａ，１５Ｂは、スイッチモジュール１を外部基板に実装する電極であり、外部接続ポートを兼ねている。特には、外部接続電極１５Ａは、グランド電位に接続される外部接続ポートである。素子搭載電極１４Ａ〜１４Ｃは、チップ型素子２１Ａ〜２１Ｃを搭載する電極であり、接続配線１２Ａ〜１２Ｅや内層グランド電極１３Ａ，１３Ｂ、グランド接続用ビア電極１６Ａ，１６Ｂを介して外部接続電極１５Ａ，１５Ｂに接続されている。内層グランド電極１３Ａ，１３Ｂは、グランド接続用ビア電極１６Ａ，１６Ｂを介して互いに接続されていて、外部接続電極１５Ａを介してグランド電位に接続されている。チップ型素子２１Ａは、切替端側回路７Ａ〜７Ｈを構成する、デュプレクサ６Ａ〜６Ｄや、チップ抵抗、チップインダクタ、チップキャパシタなどの回路素子である。チップ型素子２１Ｂは、主線路と副線路とを内装するカプラＣＰＬである。チップ型素子２１Ｃは、カプラＣＰＬに接続されて共通端側回路４を構成する、整合回路や終端抵抗、アッテネータなどの回路素子である。なお、図１Ｂにおいては図示していないが、スイッチ回路ＳＷを構成するスイッチＩＣも多層基板１１の素子搭載面に実装されている。
【００４２】
ここで、内層グランド電極１３Ａは、カプラＣＰＬであるチップ型素子２１Ｂ、および、そのチップ型素子２１Ｂに接続されている接続配線１２Ｂに近接する電極層に形成されている。そして、内層グランド電極１３Ａは、多層基板１１の積層方向から平面視して、チップ型素子２１Ｂに重なる領域に形成されている開口部１７を除き、電極層のほぼ全面に形成されている。即ち、この内層グランド電極１３Ａは、切替端側回路を構成する回路素子であるチップ型素子２１Ａと、共通端側回路を構成する第２の回路素子であるチップ型素子２１Ｃと、には重なるが、共通端側回路を構成する第１の回路素子であるチップ型素子２１Ｂには重ならないように形成されている。
【００４３】
したがって、カプラＣＰＬの主線路３Ａと副線路３Ｂとは、内層グランド電極１３Ａを介して結合することが殆ど無くなる。なお、内層グランド電極１３Ａよりも下層に設けられた内層グランド電極１３Ｂには、開口部が設けられておらず、チップ型素子２１Ｂに対向しているが、内層グランド電極１３Ｂはチップ型素子２１Ｂから離れた位置の電極層に設けられているため、カプラＣＰＬの主線路３Ａや副線路３Ｂと内層グランド電極１３Ｂとの結合は極めて弱く、内層グランド電極１３Ｂの存在によって主線路３Ａと副線路３Ｂとの間の結合が強まることはほとんどない。また、同様の理由で、カプラＣＰＬが他の回路素子（たとえば、切替端側回路７Ａ〜７Ｈ）と、内層グランド電極１３Ａを介して結合することも殆ど無くなる。これにより、スイッチモジュール１は良好な特性を持つことができる。
【００４４】
また、ここでは、内層グランド電極１３Ａと内層グランド電極１３Ｂとの間を接続するグランド接続用ビア電極１６Ａ，１６Ｂが、開口部１７の周囲で内層グランド電極１３Ａに接続されている。そして、内層グランド電極１３Ａとの接続位置から、多層基板１１の積層方向に延設されて、内層グランド電極１３Ｂに接続されている。
【００４５】
このため、開口部１７に対向する位置のチップ型素子２１Ｂが、グランド接続用ビア電極１６Ａ，１６Ｂを越えて、配線電極１２Ｄ，１２Ｅに結合することを抑制することができる。即ち、カプラＣＰＬと、配線電極１２Ｄ，１２Ｅに接続される回路素子（例えば、切替端側回路を構成する回路素子や、共通端側回路を構成する第２の回路素子）との結合を抑制し、カプラＣＰＬの主線路３Ａと副線路３Ｂとの間の結合や、カプラＣＰＬと切替端側回路７Ａ〜７Ｈとの結合を効果的に防ぐことができる。
【００４６】
次に、スイッチモジュール１の具体的な実施例について説明する。図１Ｃは、スイッチモジュール１の実施例に係る多層基板１１の積み図である。なお、ここで示す多層基板１１は、１９層のセラミック層（誘電体層）を積層したものであり、各誘電体層の上面または下面には、所定の電極パターンが形成され、各誘電体層の内部には、層間を接続するビア電極が形成されている。ビア電極は、図中に小径の丸印で示している。以下の説明では、最上層の誘電体層を誘電体層ＰＬ１として、下層側になるほど数値が増加し、最下層の誘電体層を誘電体層ＰＬ１９とする。
【００４７】
多層基板１１の最上層に位置する誘電体層ＰＬ１の天面には、複数の素子搭載電極が形成されている。素子搭載電極には、複数のチップ型素子が実装される。チップ型素子としては、上述のフロントエンド回路ＦＥＣ１を構成する、カプラＣＰＬ、スイッチ回路ＳＷ、切替端側回路７Ｅ〜７Ｈを構成するデュプレクサ、切替端側回路７Ａ，７Ｂや整合回路２、アッテネータ、終端抵抗などを構成するチップ抵抗、チップインダクタ、チップキャパシタなどの回路素子を用いる。
【００４８】
多層基板１１の第二層および第三層に位置する誘電体層ＰＬ２，ＰＬ３には、複数のパターン電極と複数のビア電極とが形成されている。これらのパターン電極は、素子搭載電極かと内部配線との接続に用いられている。
【００４９】
多層基板１１の第四層に位置する誘電体層ＰＬ４には複数のビア電極が形成されている。
【００５０】
多層基板１１の第五層に位置する誘電体層ＰＬ５には、内層グランド電極１３Ａ１と、複数のビア電極と、が形成されている。内層グランド電極１３Ａ１は、誘電体層ＰＬ２，ＰＬ３のパターン電極が誘電体層ＰＬ６〜ＰＬ１３の電極に結合することを防ぐための機能を備えている。また、内層グランド電極１３Ａ１は、多層基板１１を積層方向から平面視してカプラＣＰＬのチップ型素子と重なる領域に、開口部１７を備えている。
【００５１】
多層基板１１の第六層に位置する誘電体層ＰＬ６には、複数のビア電極が形成されている。
【００５２】
多層基板１１の第七層から第十一層に位置する誘電体層ＰＬ７〜ＰＬ１１には、複数のパターン電極と、複数のビア電極とが形成されている。これらは、主にインダクタの形成に用いられている。
【００５３】
多層基板１１の第十二層および第十三層に位置する誘電体層ＰＬ１２，ＰＬ１３には、複数のビア電極が形成されている。
【００５４】
多層基板１１の第十四層に位置する誘電体層ＰＬ１４には、内層グランド電極１３Ａ２，１３Ａ３と、複数のビア電極とが形成されている。内層グランド電極１３Ａ２，１３Ａ３は、互いに分離して形成されていて、誘電体層ＰＬ６〜ＰＬ１３の電極が誘電体層ＰＬ１５〜ＰＬ１７の電極に結合することを防ぐために設けられている。また、内層グランド電極１３Ａ２は、多層基板１１を積層方向から平面視してカプラＣＰＬのチップ型素子と重なる領域に、開口部１７を備えている。
【００５５】
多層基板１１の第十五層から第十七層に位置する誘電体層ＰＬ１５〜ＰＬ１７には、複数のパターン電極と、複数のビア電極とが形成されている。これらは、主にキャパシタの形成に用いられている。
【００５６】
多層基板１１の第十八層に位置する誘電体層ＰＬ１８には、内層グランド電極１３Ｂ１と、複数のビア電極とが形成されている。内層グランド電極１３Ｂ１は、誘電体層ＰＬ１５〜ＰＬ１７の電極が、誘電体層ＰＬ１９の外部接続ポートとなる電極に結合することを防ぐために設けられていて、誘電体層ＰＬ１８の外周部を除くほぼ全面に形成されている。
【００５７】
多層基板１１の第十九層に位置する誘電体層ＰＬ１９には、内層グランド電極１３Ｂ２と、複数のビア電極と外部接続ポートとなる複数の電極が形成されている。内層グランド電極１３Ｂ２は、外部接続ポートとなる電極同士の結合を防ぐために設けられている。
【００５８】
以上の誘電体層ＰＬ１〜ＰＬ１９を積層して、本実施例の多層基板１１は構成されている。そして、カプラＣＰＬと外部接続ポートＰＭＡＮＴとの間を接続する配線であるアンテナラインＬＡｎｔは、誘電体層ＰＬ１〜ＰＬ１５に設けられたビア電極と、誘電体層ＰＬ１６に設けられた引き回しのためのパターン配線と、誘電体層ＰＬ１６〜ＰＬ１９に設けられたビア電極と、から構成されている。
【００５９】
また、カプラＣＰＬとスイッチ回路ＳＷとの間を、整合回路２を介して接続する配線であるスイッチラインＬＳｗは、誘電体層ＰＬ１〜ＰＬ８に設けられたビア電極と、誘電体層ＰＬ９に設けられた引き回しのためのパターン配線と、誘電体層ＰＬ９〜ＰＬ１６に設けられたビア電極と、から構成されている。
【００６０】
また、カプラＣＰＬの副線路３Ｂに繋がる配線である副線路ラインＬＳｕｂは、誘電体層ＰＬ２に設けられた引き回しのためのパターン配線と、誘電体層ＰＬ３〜ＰＬ１９に設けられたビア電極と、から構成されている。
【００６１】
また、アイソレーション確保のためのグランドラインＬＧｎｄは、誘電体層ＰＬ５〜ＰＬ１７に設けられたビア電極から構成されている。そして、アイソレーション確保のためのグランドラインＬＧｎｄは、内層グランド電極１３Ａ１，１３Ａ２に形成された開口部１７の周縁に沿って配置されている。
【００６２】
以上に説明したように、本実施例の多層基板１１においては、カプラＣＰＬであるチップ型素子に近接する内層グランド電極１３Ａ１，１３Ａ２に、カプラＣＰＬであるチップ型素子に対向する開口部（切り欠き部）１７を設けている。これにより、内層グランド電極１３Ａ１，１３Ａ２を介して、カプラＣＰＬの主線路と副線路とが結合すること、および、カプラＣＰＬが他の回路素子と結合することを抑制できる。
【００６３】
また、開口部（切り欠き部）１７の周辺に、内層グランド電極１３Ａ１，１３Ａ２を接続するグランド接続用ビア電極により、アイソレーション確保のためのグランドラインＬＧｎｄを配置している。これにより、グランドラインＬＧｎｄを超えて、カプラＣＰＬが他の回路素子や配線に結合することを抑制できる。
【００６４】
さらに、副線路ラインＬＳｕｂは、主に誘電体層ＰＬ２の天面に設けたパターン電極によって所定位置まで引き回し、その他の層はビア電極により構成されている。一方、アンテナラインＬＡｎｔは、主に誘電体層ＰＬ１６の天面に設けたパターン電極によって所定位置まで引き回し、その他の層はビア電極により構成されている。また、スイッチラインＬＳｗは、主に誘電体層ＰＬ９の天面に設けたパターン電極によって所定位置まで引き回し、その他の層はビア電極により構成されている。即ち、副線路ラインＬＳｕｂは、内層グランド電極１３Ａ１よりも上層で引き回し，アンテナラインＬＡｎｔは、内層グランド電極１３Ａ１，１３Ａ２よりも下層で引き回し、スイッチラインＬＳｗは、内層グランド電極１３Ａ１よりも下層、且つ、内層グランド電極１３Ａ２よりも上層で引き回している。したがって、スイッチラインＬＳｗの引き回し部分、アンテナラインＬＡｎｔの引き回し部分、および、副線路ラインＬＳｕｂの引き回し部分が、それぞれ、多層基板１１の積層方向に大きく離間して配置され、それぞれの間に内層グランド電極１３Ａ１，１３Ａ２が介在するため、引き回し部分を介してカプラＣＰＬの主線路側と副線路側とが結合することを抑制できる。
【００６５】
図１Ｄは、実施例に係るスイッチモジュールにおけるカプラ特性と、比較対象となる構成におけるカプラ特性とを示す図である。なお、比較対象のスイッチモジュールは、内層グランド電極１３Ａ１，１３Ａ２における、カプラＣＰＬと重なる領域を、開口部（切り欠き部）１７とせずに、電極を形成した構成である。
【００６６】
実施例に係る構成のアイソレーション特性では、８２４〜９１５ＭＨｚ帯において結合量が−６０ｄＢ以下を確保できている。また、１７１０〜１９８０ＭＨｚ帯においても、結合量が−６０ｄＢを確保できている。これに対して、比較構成のアイソレーション特性では、８２４〜９１５ＭＨｚ帯においては結合量が−６０ｄＢ以下を確保できているが、１７１０〜１９８０ＭＨｚ帯において、結合量が−５０ｄＢを超え、結合量−６０ｄＢを確保することができていない。なお、実施例に係る構成のカップリング特性および比較構成のカプリング特性では、いずれも同じようなレベルの結合量を実現できている。
【００６７】
このことから、本実施例に係る構成のように、内層グランド電極１３Ａ１，１３Ａ２に開口部１７を設けることにより、カプラＣＰＬの主線路側と副線路側との不要な結合を抑制して、良好なアイソレーション特性および方向性を実現できることが分かる。
【００６８】
特には、カプラＣＰＬの主線路３Ａと副線路３Ｂとが結合する場合には、高い周波数ほど結合が強まる傾向を持つが、本実施形態の構成により、カプラＣＰＬの主線路３Ａと副線路３Ｂとの結合を抑制することにより、ＧＳＭ（登録商標）８５０通信システムからＧＳＭ（登録商標）１９００通信システムまでカバーする広い周波数帯域で、カプラＣＰＬの方向性を確保できることが分かる。
【００６９】
≪第２の実施形態≫
以下、本発明の第２の実施形態に係るスイッチモジュールについて、図２Ａおよび図２Ｂを参照して説明する。
【００７０】
図２Ａは、本実施形態に係るスイッチモジュールの回路構成を示すブロック図である。図２Ａに示すフロントエンド回路ＦＥＣ２は、スイッチ回路ＳＷ、共通端側回路４、および、切替端側回路７Ａ〜７Ｈ、を備えている。なお、スイッチ回路ＳＷ、共通端側回路４、および、切替端側回路７Ａ，７Ｂの内部構成は、第１の実施形態に係るフロントエンド回路ＦＥＣ１と同一であり、ここでは説明を省く。本実施形態のフロントエンド回路ＦＥＣ２は、第１の実施形態のフロントエンド回路ＦＥＣ１からデュプレクサを除いて、切替端側回路７Ｃ〜７Ｈを伝送線路で構成したものである。
【００７１】
このフロントエンド回路ＦＥＣ２は、多層基板を用いたスイッチモジュールとして構成される。なお、このスイッチモジュールの断面構成を示す模式図は、第１の実施形態に係るスイッチモジュール１と同一であり、ここでは説明を省く。
【００７２】
次に、スイッチモジュールの具体的な実施例について説明する。図２Ｂは、実施例に係るスイッチモジュールを構成する多層基板２１の積み図である。なお、ここで示す多層基板２１は、２１層のセラミック層（誘電体層）を積層したものである。
【００７３】
多層基板の最上層に位置する誘電体層ＰＬ１の天面には、複数の素子搭載電極が形成されている。素子搭載電極には、複数のチップ型素子が実装される。チップ型素子としては、上述のフロントエンド回路ＦＥＣ２を構成する、カプラＣＰＬ、スイッチ回路ＳＷ、切替端側回路７Ａ，７Ｂや整合回路２、アッテネータ、終端抵抗などを構成する、チップ抵抗、チップインダクタ、チップキャパシタなどの回路素子を用いる。
【００７４】
多層基板２１の第二層および第三層に位置する誘電体層ＰＬ２，ＰＬ３には、複数のパターン電極と、複数のビア電極とが形成されている。これらのパターン電極は、素子搭載電極からの配線引き回しに用いられている。
【００７５】
多層基板２１の第四層および第五層に位置する誘電体層ＰＬ４，ＰＬ５には複数のビア電極が形成されている。
【００７６】
多層基板２１の第六層に位置する誘電体層ＰＬ６には、内層グランド電極１３Ａ４と、複数のビア電極と、が形成されている。内層グランド電極１３Ａ４は、誘電体層ＰＬ２，ＰＬ３のパターン電極が誘電体層ＰＬ７の電極に結合することを防ぐために設けられている。また、内層グランド電極１３Ａ４は、多層基板２１を積層方向から平面視してカプラＣＰＬのチップ型素子と重なる領域に、開口部１７を備えている。
【００７７】
多層基板２１の第七層に位置する誘電体層ＰＬ７には、複数のパターン電極と、複数のビア電極とが形成されている。これらのパターン電極は、配線引き回しに用いられている。
【００７８】
多層基板２１の第八層に位置する誘電体層ＰＬ８には、内層グランド電極１３Ａ５と、複数のビア電極と、が形成されている。内層グランド電極１３Ａ５は、誘電体層ＰＬ７の電極が誘電体層ＰＬ９〜ＰＬ１９の電極に結合することを防ぐ機能を有している。また、内層グランド電極１３Ａ５は、多層基板２１を積層方向から平面視してカプラＣＰＬのチップ型素子と重なる領域に、開口部１７を備えている。
【００７９】
多層基板２１の第九層に位置する誘電体層ＰＬ９には、複数のビア電極が形成されている。
【００８０】
多層基板２１の第十層から第十三層に位置する誘電体層ＰＬ１０〜ＰＬ１３には、複数のパターン電極と、複数のビア電極と、が形成されている。これらは、主にインダクタの形成に用いられている。
【００８１】
多層基板２１の第十四層および第十五層に位置する誘電体層ＰＬ１４，ＰＬ１５には、複数のビア電極が形成されている。
【００８２】
多層基板２１の第十六層から第十九層に位置する誘電体層ＰＬ１６〜ＰＬ１９には、複数のパターン電極と、複数のビア電極と、が形成されている。これらは、主にキャパシタの形成に用いられている。
【００８３】
多層基板２１の第二十層に位置する誘電体層ＰＬ２０には、内層グランド電極１３Ｂ３と、複数のビア電極と、が形成されている。
【００８４】
多層基板２１の第二十一層に位置する誘電体層ＰＬ２１には、内層グランド電極１３Ｂ４と、複数のビア電極と、外部接続ポートとなる複数の電極が形成されている。
【００８５】
以上の誘電体層ＰＬ１〜ＰＬ２１を積層して、本実施例の多層基板２１は構成されている。そして、カプラＣＰＬと外部接続ポートＰＭＡＮＴとの間を接続する配線であるアンテナラインＬＡｎｔは、誘電体層ＰＬ２に設けられた引き回しのためのパターン配線と、誘電体層ＰＬ２〜ＰＬ２１に設けられたビア電極と、から構成されている。
【００８６】
また、カプラＣＰＬとスイッチ回路ＳＷとの間を、整合回路２を介して接続する配線であるスイッチラインＬＳｗは、誘電体層ＰＬ２，ＰＬ１２に設けられた引き回しのためのパターン配線と、誘電体層ＰＬ１〜ＰＬ１１に設けられたビア電極と、から構成されている
また、カプラＣＰＬの副線路３Ｂに繋がる配線である副線路ラインＬＳｕｂは、誘電体層ＰＬ２に設けられた引き回しのためのパターン配線と、誘電体層ＰＬ２〜ＰＬ２１に設けられたビア電極と、から構成されている。
【００８７】
また、カプラＣＰＬとた素子との間のアイソレーション確保のためのグランドラインＬＧｎｄは、誘電体層ＰＬ３に設けられた引き回しのためのパターン配線と、誘電体層ＰＬ３〜ＰＬ１９に設けられたビア電極と、から構成されている。そして、アイソレーション確保のためのグランドラインＬＧｎｄは、内層グランド電極１３Ａ１，１３Ａ２に形成された開口部１７の周縁に沿って配置されている。
【００８８】
以上に説明したように、本実施例の多層基板２１においても、カプラＣＰＬであるチップ型素子に近接する内層グランド電極１３Ａ４，１３Ａ５に、開口部（切り欠き部）１７を設けているため、内層グランド電極１３Ａ４，１３Ａ５を介して、カプラＣＰＬの主線路と副線路とが結合すること、および、カプラＣＰＬが他の回路素子と結合することを抑制できる。
【００８９】
また、開口部（切り欠き部）１７の周辺に、内層グランド電極１３Ａ４を接続するグランド接続用ビア電極によるグランドラインＬＧｎｄを配置している。これにより、グランドラインＬＧｎｄにより離間されている他の回路素子や配線にカプラＣＰＬが結合することを抑制できる。
【００９０】
さらには、副線路ラインＬＳｕｂは、主に誘電体層ＰＬ２の天面に設けたパターン電極によって所定位置まで引き回し、その他の層はビア電極により構成されている。一方、スイッチラインＬＳｗは、主に誘電体層ＰＬ１２の天面に設けたパターン電極によって所定位置まで引き回し、その他の層はビア電極により構成されている。また、アンテナラインＬＡｎｔは、ほとんどの層でビア電極により構成されている。即ち、副線路ラインＬＳｕｂは、内層グランド電極１３Ａ４よりも上層で引き回し，スイッチラインＬＳｗは、内層グランド電極１３Ａ４，１３Ａ５よりも下層で引き回している。したがって、副線路ラインＬＳｕｂの引き回し部分が、スイッチラインＬＳｗの引き回し部分から、多層基板の積層方向に大きく離間し、それらの間に内層グランド電極１３Ａ４，１３Ａ５が介在するため、引き回し部分を介してカプラＣＰＬの主線路側と副線路側とが結合することを抑制できる。
【００９１】
≪第３の実施形態≫
以下、本発明の第３の実施形態に係るスイッチモジュールについて、図３を参照して説明する。なお、本実施形態に係るスイッチモジュールの回路構成を示すブロック図は、第１の実施形態に係るフロントエンド回路ＦＥＣ１と同一であり、ここでは説明を省く。また、本実施形態に係るスイッチモジュールの断面構成を示す模式図も、第１の実施形態に係るスイッチモジュール１と同一であり、ここでは説明を省く。
【００９２】
図３は、第３の実施形態に係るスイッチモジュールの実施例に係る多層基板３１の積み図である。なお、ここで示す多層基板３１は、１９層のセラミック層（誘電体層）を積層したものである。この多層基板３１は、アンテナラインＬＡｎｔの主たる引き回し部分、スイッチラインＬＳｗの主たる引き回し部分、および、副線路ラインＬＳｕｂの主たる引き回し部分を、いずれも同じ誘電体層の天面に配置したものである。
【００９３】
特には、多層基板３１の第二層に位置する誘電体層ＰＬ２の天面に、スイッチラインＬＳｗの一部となるパターン電極と、アンテナラインＬＡｎｔの一部となるパターン電極と、副線路ラインＬＳｕｂの一部となるパターン電極と、が形成されている。
【００９４】
そして、多層基板３１の第五層に位置する誘電体層ＰＬ５の天面に、内層グランド電極１３Ａ６が形成されている。また、多層基板３１の第十四層に位置する誘電体層ＰＬ１４の天面に、内層グランド電極１３Ａ７，１３Ａ８が形成されている。そして、内層グランド電極１３Ａ６および内層グランド電極１３Ａ７には、多層基板を積層方向から平面視してカプラＣＰＬのチップ型素子と重なる領域に、切り欠き部（開口部）１７を備えている。
【００９５】
このような構成の多層基板３１においても、カプラＣＰＬであるチップ型素子に近接する内層グランド電極１３Ａ６，１３Ａ７に開口部１７を設けているため、内層グランド電極１３Ａ６，１３Ａ７を介して、カプラＣＰＬの主線路と副線路とが結合すること、および、カプラＣＰＬが他の回路素子と結合することを抑制できる。
【００９６】
また、開口部（切り欠き部）１７の周辺に、内層グランド電極１３Ａ６，１３Ａ７を接続するグランド接続用ビア電極によるグランドラインＬＧｎｄを配置している。これにより、グランドラインＬＧｎｄにより離間されている他の回路素子や配線にカプラＣＰＬが結合することを抑制できる。
【００９７】
≪第４の実施形態≫
以下、本発明の第４の実施形態に係るスイッチモジュールについて、図４Ａおよび図４Ｂを参照して説明する。なお、本実施形態に係るスイッチモジュールの回路構成を示すブロック図は、第１の実施形態に係るフロントエンド回路ＦＥＣ１と同一であり、ここでは説明を省く。
【００９８】
図４Ａは、第４の実施形態に係るスイッチモジュールの断面構成を示す模式図である。図４Ａに示すスイッチモジュール４１は、多層基板５１とチップ型素子２１Ａ〜２１Ｃとを備えている。
【００９９】
多層基板５１は、接続配線５２Ａ〜５２Ｅと、内層グランド電極５３Ａ，５３Ｂと、素子搭載電極５４Ａ〜５４Ｃと、外部接続電極５５Ａ，５５Ｂと、グランド接続用ビア電極５６と、を備えている。内層グランド電極５３Ａは、カプラＣＰＬであるチップ型素子２１Ｂに重なる位置に開口部５７が形成されている。
【０１００】
ここでは、グランド接続用ビア電極５６は、開口部５７の周囲から外れる位置で内層グランド電極５３Ａに接続されている。そして、その位置から、多層基板５１の積層方向に延設されて、内層グランド電極５３Ｂに接続されている。
【０１０１】
図４Ｂは、第４の実施形態に係るスイッチモジュールの実施例に係る多層基板５１の積み図である。この多層基板５１は、前述の第１の実施形態の実施例で示した多層基板１１と略同様な構成であるが、誘電体層ＰＬ５から誘電体層ＰＬ１７に掛けて設けられていたアイソレーション確保のためのグランドライン（ＬＧｎｄ）を省いて構成されている。
【０１０２】
この本実施例の多層基板５１においても、カプラＣＰＬであるチップ型素子に近接する内層グランド電極１３Ａ６に、カプラＣＰＬであるチップ型素子に対向する開口部（切り欠き部）１７を設けているため、内層グランド電極１３Ａ６を介して、カプラＣＰＬの主線路と副線路とが結合すること、および、カプラＣＰＬが他の回路素子と結合することを抑制できる。
【０１０３】
≪第５の実施形態≫
以下、本発明の第５の実施形態に係るスイッチモジュールについて、図５を参照して説明する。なお、本実施形態に係るスイッチモジュールの回路構成を示すブロック図は、第２の実施形態に係るフロントエンド回路ＦＥＣ２と同一であり、ここでは説明を省く。また、スイッチモジュールの断面構成を示す模式図は、第４の実施形態に係るスイッチモジュール４１の模式図である図４Ｂと同一であり、ここでは説明を省く。
【０１０４】
図５は、第５の実施形態に係るスイッチモジュールの実施例に係る多層基板６１の積み図である。この多層基板６１は、前述の第２の実施形態の実施例で示した多層基板１１と略同様な構成であるが、誘電体層ＰＬ６から誘電体層ＰＬ１９に掛けて設けられていたアイソレーション確保のためのグランドライン（ＬＧｎｄ）を省いて構成されている。
【０１０５】
この本実施例の多層基板６１においても、カプラＣＰＬであるチップ型素子に近接する内層グランド電極１３Ａ４，１３Ａ５に、カプラＣＰＬであるチップ型素子に対向する開口部（切り欠き部）１７を設けているため、内層グランド電極１３Ａ４，１３Ａ５を介して、カプラＣＰＬの主線路と副線路とが結合すること、および、カプラＣＰＬが他の回路素子と結合することを抑制できる。
【０１０６】
以上の各実施形態で説明したように、本発明のスイッチモジュールは構成することができる。上述の説明では、カプラＣＰＬをチップ型素子として構成し、チップ型素子を搭載する最上層の誘電体層に最も近接する内層グランド電極に開口部を設ける例を示したが、その他にも、カプラＣＰＬを、多層基板の内部に設ける電極パターンによって構成するようにしてもよい。その場合には、カプラＣＰＬを構成する電極パターンを多層基板の内部に設け、その誘電体層に近接する内層グランド電極に開口部を設けるようにするとよい。その他、スイッチモジュールの詳細な回路構成は、上述したものに限られるものではない。例えば、カプラＣＰＬを設けずに、整合回路のみによって共通端側回路を構成し、その整合回路に近接する内層グランド電極に開口部を設けるようにしてもよい。
【符号の説明】
【０１０７】
ＰＩＣ０１…共通ポート
ＰＩＣ１１〜ＰＩＣ１８…切替ポート
ＰＩＣＶｃ１〜ＰＩＣＶｃ４…制御ポート
ＰＩＣＶｄｄ…電源ポート
ＰＭ１１〜ＰＭ１８，ＰＭＡＮＴ，ＰＭＣＰＬ，ＰＭＶｃ１〜ＰＭＶｃ４，ＰＭＶｄｄ…外部接続ポート
ＬＡｎｔ…アンテナライン
ＬＧｎｄ…グランドライン
ＬＳｕｂ…副線路ライン
ＬＳｗ…スイッチライン
ＦＥＣ１，ＦＥＣ２…フロントエンド回路
ＳＷ…スイッチ回路
ＣＰＬ…カプラ
１，４１…スイッチモジュール
２…整合回路
３Ａ…主線路
３Ｂ…副線路
４…共通端側回路
６Ａ…デュプレクサ
７Ａ〜７Ｈ…切替端側回路
１１，５１…多層基板
１２Ａ〜１２Ｅ…配線電極
１３Ａ，１３Ａ１〜１３Ａ８，１３Ｂ，１３Ｂ１，１３Ｂ２…内層グランド電極
１３Ｂ，１３Ｂ１〜１３Ｂ４…内層グランド電極
１４Ａ〜１４Ｃ…素子搭載電極
１５Ａ，１５Ｂ…外部接続電極
１６Ａ，１６Ｂ…グランド接続用ビア電極
１７…開口部
２１Ａ…チップ型素子
２１Ｂ…チップ型素子
２１Ｃ…チップ型素子
【図１Ａ】
2013168689.tif 000003
【図１Ｂ】
2013168689.tif 000004
【図１Ｃ】
2013168689.tif 000005
【図１Ｄ】
2013168689.tif 000006
【図２Ａ】
2013168689.tif 000007
【図２Ｂ】
2013168689.tif 000008
【図３】
2013168689.tif 000009
【図４Ａ】
2013168689.tif 000010
【図４Ｂ】
2013168689.tif 000011
【図５】
2013168689.tif 000012
【図６Ａ】
2013168689.tif 000013
【図６Ｂ】
2013168689.tif 000014
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
複数の誘電体層と複数の電極層とを積層して構成されている多層基板と、主線路と副線路で構成されるカプラである第１の回路素子と、を備えるスイッチモジュールであって、
単一の共通端と複数の切替端とを有し、前記共通端に接続する切替端を切り替え可能に構成されている、スイッチ回路と、
前記共通端に接続されていて、前記第１の回路素子を含む、共通端側回路と、
それぞれ、前記スイッチ回路の各切替端に接続されている、切替端側回路と、
前記多層基板の積層方向から平面視して前記切替端側回路に重なるように、前記複数の電極層のいずれかに形成されている内層グランド電極と、を備え、
前記第１の回路素子に最も近接する内層グランド電極は、前記多層基板の積層方向から平面視して前記第１の回路素子に重ならず、前記多層基板の積層方向から平面視して前記第１の回路素子に重なる領域に切り欠き又は開口が形成され、
前記主線路に接続されている前記多層基板の配線電極と、前記副線路に接続されている前記多層基板の配線電極とは、互いに異なる電極層に配置されている、
スイッチモジュール。
【請求項２】
前記第１の回路素子に最も近接する内層グランド電極は、前記多層基板の積層方向から平面視して前記第１の回路素子に重なる領域の周囲に、前記内層グランド電極と接続されるビア電極が配置されている、請求項１に記載のスイッチモジュール。
【請求項３】
前記主線路に接続されている配線電極と、前記副線路に接続されている配線電極との間には前記内層グランド電極に接続されているビア電極が配置されている、請求項１または請求項２に記載のスイッチモジュール。
【請求項４】
前記主線路に接続されている配線電極が配置される電極層と、前記副線路に接続されている配線電極が配置される電極層との間に、前記内層グランド電極が配置されている、請求項１〜３のいずれかに記載のスイッチモジュール。
【請求項５】
前記第１の回路素子に接続される第２の回路素子を備える、請求項１〜４のいずれかに記載のスイッチモジュール。
【請求項６】
前記第２の回路素子は整合回路である、請求項５に記載のスイッチモジュール。
【国際調査報告】
2013168689.tif 000015
2013168689.tif 000016
2013168689.tif 000017
2013168689.tif 000018